(57)【要約】【課題】スプレーモード、ジェットモード及びシャワーモードの切り替えを無段式でかつスムーズに行なえるスプレーガンを提供すること。【解決手段】本体１０と一体のグリップ部１１には、本体１０内に設けた中心棒４０の往復移動を制御するプッシュバー３０が設けられ、本体１０の出水端１０１に取り付けた本体蓋１３にはスプレーネットセット２０が取り付けられ、本体１０の出水端１０１に固定した中心棒座５０の内壁には第一、第二及び第三止水材５２〜５４が設けられ、第二、第三止水材５３,５４間の中心棒座５０の壁面に設けた出水孔５５がスプレーネットセット２０と本体蓋１３間に形成した水収容空間１４と連通し、中心棒４０の一部に形成した制御段４６は複数の水流孔４８を備え、中心棒４０の棒端に設けた水型制御塊４７の外表面と中心棒座５０の内壁面の間に隙間５７が形成され、水型制御塊４７と制御段４６の往復移動に伴って出水孔５５を開閉制御する。【選択図】図２
0003147988.tif 000002
【実用新案登録請求の範囲】
【請求項１】
スプレーガンの構造あって、
本体１０を備え、
前記本体１０はグリップ部１１と連接し、
グリップ部１１にプッシュバー３０が連接され、該プッシュバー３０は本体１０の内部に設けた中心棒４０を軸方向に往復移動するよう制御し、
前記本体１０は出水端１０１を備え、
前記出水端１０１には本体蓋１３が連接され、
前記本体蓋１３にはスプレーネットセット２０が取り付けられ、
スプレーネットセット２０と本体蓋１３の間には水収容空間１４が形成され、
本体１０の出水端１０１には中心棒座５０が固定され、
前記中心棒座５０の内壁には第一止水材５２、第二止水材５３及び第三止水材５４が設けられ、
前記第二止水材５３と第三止水材５４の間の中心棒座５０の壁面には少なくとも一つの出水孔５５が設けられ、
前記出水孔５５は水収容空間１４と連通され、
前記中心棒４０の棒身には、中心棒座５０を貫通する拡径した制御段４６を備え、
前記制御段４６には軸芯と平行に配列された複数の水流孔４８を備え、
前記中心棒４０の棒端には水型制御塊４７を備え、
前記水型制御塊４７の外表面と中心棒座５０の内壁面の間には隙間５７が形成され、
前記水型制御塊４７は中心棒４０の軸方向に沿った往復移動に伴って第一止水材５２と密着し、または分離し、
前記制御段４６は中心棒４０の軸方向にそった往復移動に伴って出水孔５５を閉鎖、または開放することを特徴とする、
スプレーガンの構造。
【請求項２】
前記中心棒４０の棒身には水が通るための軸套４２を備え、軸套４２には中心棒の止水材４９を備えて中心棒座５０の斜面端縁５１に相対し、中心棒４０の止水材４９は中心棒４０の軸方向に沿った往復移動に伴って斜面端縁５１と当接または分離し、前記中心棒４０の棒身には外にシート４３が取り付けられ、シート４３と軸套４２の間の棒身にはばね４４が取り付けられ、ばね４４は中心棒４０に弾力を付与し、それによって中心棒４０の止水材４９は斜面端縁５１に常時当接することを特徴とする、請求項１記載のスプレーガンの構造。
【請求項３】
前記水型制御塊４７の制御段４６に相対する端部には円周位置に於いて案内斜面４７１が形成され、中心棒座５０と水型制御塊４７の相対する端内壁には外拡斜面５９が形成され、中心棒座５０と水型制御塊４７の相対する端内壁には拡径階層５８が形成されていることを特徴とする、請求項１記載のスプレーガンの構造。
【考案の詳細な説明】
【技術分野】
【０００１】
本考案は水源端の水管に連接されて噴水に用いられるスプレーガン（spray gun）に関するものである。
【背景技術】
【０００２】
伝統的スプレーガンの構造は、外観から見て概して逆Ｌ形の本体を備える。
本体は水源からの給水パイプに連接される。本体にはグリップ部及びスプレーヘッド（sprayhead）を備え、スプレーヘッドの噴水、または噴水停止を制御するバルブ（valve）がグリップ部に取り付けられている。
スプレーヘッドには、通常スプレーヘッドの軸を取り巻くって使用者に回される回し盤を備える。回し盤の作用は内部の中心出水部材との組合により噴水のモード（mode）を選択して切り替えることである。
【０００３】
前述した従来の伝統的なスプレーガンの構造には次の欠点がある。
（１）伝統的スプレーガンの噴水モードを切り替える場合は、両手を併用して操作しなければならない。すなわち片手で本体のグリップ部を持ち、他の手で回し盤を回さなければならないので、操作が不便である。
【０００４】
（２）回し盤の回転方式により噴水の態様を切り替えるには、多段式の切り替え調整方式であるため、切り替えの過程に於いて、明らかな切り替えの停止及び出水の停止が見られる。
【０００５】
（３）回し盤を回して噴水を切り替える場合、スプレーガンを持った手でバルブを制御してスプレーヘッドの出水を止め、更に別の手で回し盤を回す。回し盤を回すときに出水を止めないと、水の噴射が混乱したり、制御不能に飛び散ったりする可能性がある。
【考案の開示】
【考案が解決しようとする課題】
【０００６】
本考案の主要な目的は、従来のスプレーガンは両手で操作して噴水モードを変えるという問題点を解決することである。
【課題を解決するための手段】
【０００７】
スプレーガンの構造の一種で、それは本体を備え、本体はグリップ部（grip）に連接し、プッシュバー（push bar）はグリップ部に連接され、並びに本体内部に設けられてある中心棒を軸方向に往復移動するよう制御する。往復移動する中心棒と本体内部に固定される中心棒座を組み合わせることにより、ある線形移動する過程に於いて、スプレーガンはスプレー、ジェット（jet）及びシャワー（shower）等の出水モードが発生する。
すなわち、本考案に係るスプレーガンは、本体１０を備え、前記本体１０はグリップ部１１と連接し、グリップ部１１にプッシュバー３０が連接され、該プッシュバー３０は本体１０の内部に設けた中心棒４０を軸方向に往復移動するよう制御し、前記本体１０は出水端１０１を備え、前記出水端１０１には本体蓋１３が連接され、前記本体蓋１３にはスプレーネットセット２０が取り付けられ、スプレーネットセット２０と本体蓋１３の間には水収容空間１４が形成され、本体１０の出水端１０１には中心棒座５０が固定され、前記中心棒座５０の内壁には第一止水材５２、第二止水材５３及び第三止水材５４が設けられ、前記第二止水材５３と第三止水材５４の間の中心棒座５０の壁面には少なくとも一つの出水孔５５が設けられ、前記出水孔５５は水収容空間１４と連通され、前記中心棒４０の棒身には、中心棒座５０を貫通する拡径した制御段４６を備え、前記制御段４６には軸芯と平行に配列された複数の水流孔４８を備え、前記中心棒４０の棒端には水型制御塊４７を備え、前記水型制御塊４７の外表面と中心棒座５０の内壁面の間には隙間５７が形成され、前記水型制御塊４７は中心棒４０の軸方向に沿った往復移動に伴って第一止水材５２と密着し、または分離し、前記制御段４６は中心棒４０の軸方向にそった往復移動に伴って出水孔５５を閉鎖、または開放することを特徴とするものである。
【考案の効果】
【０００８】
本考案のスプレーガンには出水量を制御する、スプレーモードを変える、スプレー圧力の強弱及びスプレー距離を制御する等機能を備える。
【０００９】
本考案のスプレーガンはスプレー、ジェット及びシャワー等の出水モードを実現することができる。
【００１０】
本考案のスプレーガンの出水モードの切り替え動作は無段式に実現され、切り替え過程はスムーズに一瞬の間に完成される。
このほか、同一出水モードに於いて、無段式に出水量を調整することができて、切り替え停止または出水停止にならない。
【００１１】
本考案のスプレーガンの前記各種機能はスプレーガンの出水バルブの押し付け程度によって決定され、使用者はスプレーガンを持った片手をもって同時にスプレーガンを制御し、上記機能を実現することができる。
【考案を実施するための最良の形態】
【００１２】
図１の本考案に係るスプレーガンの立体外観図を参照して説明する。
本考案に係るスプレーガンは、本体１０、グリップ部１１、水管継ぎ手１２、本体蓋１３、スプレーネットセット２０、およびプッシュバー３０を含む。
以降にこれらの部材について詳しく説明する。
【００１３】
本体１０はグリップ部１１と連接する。
水管継ぎ手１２はグリップ部１１の底端に固定され、水源の給水パイプ（図面には示されていない）との連接に用いられる。
水は給水パイプ及びグリップ部１１を経て本体１０の内部に流れ込む。
本体蓋１３は錐形の蓋状のもので、本体１０の出水端１０１に連接される。
本体蓋１３は独立の部材であり、周知の取り外し可能の技術手段（ねじ）を用いて本体１０の出水端１０１に結合される。
また図示するように、本体蓋１３は本体１０の出水端１０１に一体成型される。
本体蓋１３の開口部はスプレーネットセット２０に取り付けられる。
プッシュバー３０の一端は本体１０の軸心に沿って設けられた中心棒４０の末端４１に連接される。
プッシュバー３０とグリップ部１１は回転支点３１をもって連接される。
回転支点３１より下方のプッシュバー３０とグリップ部１１の間には挟み角を形成している。
【００１４】
図２は本考案のスプレーガンの断面図を示す。
スプレーネットセット２０と本体蓋１３は内部に水収容空間１４を形成する。
スプレーネットセット２０はスプレーネット２１、環形連接蓋２２及び最少一つの止水材２３から構成される。
環形連接蓋２２はスプレーネット２１の周縁を取り巻くように位置決めし、かつ取り外し可能な公知の手段（ねじ）によって本体蓋１３の開口端縁に連接される。
止水材２３は本体蓋１３の端縁とスプレーネット２１の周縁の間に当て付けられる。
【００１５】
中心棒４０は本体１０の軸心方向に沿って本体１０内に設けられる。
中心棒４０の末端４１は中心棒の油溝１５を通り貫いて本体１０から貫き出し、プッシュバー３０の端部に連接される。
中心棒４０の棒身は軸套４２及びシート４３を固定し、その間の中心棒４０の外部にはばね４４が取り付けられてある。
軸套４２の外径は概して本体１０の内径に相当し、かつ軸心方向に平行する複数個の水通道４５を備える。
中心棒４０の止水材４９は軸套４２の前端に取り付けられて中心棒座５０の斜面端縁５１に相対する。
中心棒座５０はねじ付けの手段をもって本体１０の端部に固定される。
ばね４４が中心棒４０に弾力を付与すことにより、中心棒４０の止水材４９が斜面端縁５１に常時押し当てられている。
【００１６】
中心棒４０の棒身には径が拡大された制御段４６を備えて中心棒座５０の内部を貫通する。
制御段４６の外径は中心棒座５０の内径に相当する。
中心棒座５０の内壁には第一止水材５２、第二止水材５３及び第三止水材５４が設けられている。
第二止水材５３と第三止水材５４の間の中心棒座５０の壁面には、複数個の出水孔５５が設けられてある。
制御段４６には軸心と平行に配列した複数個の水流孔４８を備える。
中心棒４０の棒端には水型制御塊４７を備える。水型制御塊４７の外表面と中心棒座５０の開放端の内壁面の間には隙間５７を形成している。
水型制御塊４７の外表面と中心棒座５０の内壁面の間には隙間５７を形成している。
水型制御塊４７は制御段４６に相対する端部の円周位置に於いて案内斜面４７１が設けられ、中心棒座５０と水型制御塊４７の相対端内壁には拡径階層５８及び外拡斜面５９を形成している。
【００１７】
つぎに図３〜図８を参照しながら、本考案のスプレーガンの操作方式について説明する。
【００１８】
図３に示す如く、手で握り締めたグリップ部１１を押すと、中心棒４０は少々後へ移動する。
中心棒４０の移動に伴い、止水材４９は中心棒座５０の斜面端縁５１から離脱するとともに、制御段４６が中心棒座５０の出水孔５５を完全に閉鎖する。
本体１０内部の水は軸套４２の水通道４５及び制御段４６の水流通孔４８を経て、水型制御塊４７の案内斜面４７１と中心棒座５０の外拡斜面５９間の隙間から噴出する。
噴出された水が外射角度を備えるように、スプレーガンはスプレーモードを実現する。
【００１９】
図４に示す如く、グリップ部１１を更に押すと、中心棒４０は更に後へ移動する。
中心棒４０の更なる移動に伴い、水型制御塊４７は中心棒座５０内に移入される。
水型制御塊４７が移動する同時に、案内斜面４７１と中心棒座５０の外拡斜面５９が相対して噴水の外射角度を案内する作用は益々小さくなり、隙間５７が逐次縮減するので、噴水形状の外射角度も縮小するよう変化する。
最終的に水型制御塊４７は完全に中心棒座５０内に移入して、拡径階層５８と外拡斜面５９の間の隙間から水が直線的に噴出するため、スプレーガンはジェットモードを実現する。
【００２０】
図５に示す如く、グリップ部１１を更に深い位置まで押し込むと、中心棒４０は更に後へ移動する。その結果、水型制御塊４７は中心棒座５０の第一止水材５２と接触するまで移動する。
水は拡径階層５８と水型制御塊４７の間の隙間から噴出さないようになる。
ただし、制御段４６は中心棒座５０の出水孔５５を一部開放し、制御段４６の水流通孔４８を通過した水は変わってそれら出水孔５５を経由して水収容空間１４へ釈放し、更にスプレーネット２１のネット孔から噴出すので、スプレーガンはジェットモードから出水量の小さいシャワーモードを実現する。
【００２１】
図６に示す如く、グリップ部１１を更に押すと、中心棒４０は再度後へ移動し、水型制御塊４７は依然中心棒座５０の第一止水材５２と接触して水を止め、制御段４６は中心棒座５０の出水孔５５を中程度に開放し、スプレーガンは中程度のシャワーモードを実現する。
【００２２】
図７から図８に示す如く、更にグリップ部１１を極限まで押すと、中心棒４０は更に後へ移動して圧縮ばねの極限位置まで到達する。
水型制御塊４７は中心棒座５０の第一止水材５２及び第二止水材５３と接触して水を止め、制御段４６は中心棒座５０の出水孔５５を完全に開放する。その結果、スプレーガンは最大出水量のシャワーモードを実現する。
【００２３】
中心棒４０が持続的に逐次後へ移動することに基ずき、制御段４６が無段式に出水孔５５を開放するので、シャワーモードの出水量を逐次無段式に増加することが可能となる。
【００２４】
既述したように、プッシュバー３０の押し下げ程度を制御することにより、出水モードをスプレーモード、ジェットモード及びシャワーモード等に選択切り替えることができる。
さらに、切り替え動作は無段式に実現できるとともに、全体的切り替え過程をスムーズにほとんど一瞬の間に完成できる。
さらに、同一出水モードに於いて、プッシュバー３０の押し下げ程度を変えることによって無段式に出水量及び噴水圧力を変えることができる。
また、前記プッシュバー３０を完全に釈放すると、ばね４４はエネルギーを釈放して復帰し、中心棒４０を押し動かして瞬間的に前へ移動し、中心棒４０の止水材４９は中心棒座５０の斜面端縁５１を当て付け、スプレーガンは噴水を止める。
上記したスプレーガンの出水、停止、スプレーモードの切り替え、出水量及びスプレー圧力の変更等動作はすべてスプレーガンを持つ片手によって達成することができて、非常に省力であり、かつ便利である。
【図面の簡単な説明】
【００２５】
【図１】本考案スプレーガンの立体外観図である。
【図２】本考案スプレーガンの内部構造の縦断面図である。
【図３】スプレーモードにおける本考案スプレーガンの内部構造の断面図である。
【図４】ジェットモードにおける本考案スプレーガンの内部構造の断面図である。
【図５】小水量のシャワーモードにおける本考案スプレーガンの内部構造の断面図である。
【図６】中等水量のシャワーモードにおける本考案スプレーガンの内部構造の断面図である。
【図７】最大水量のシャワーモードにおける本考案スプレーガンの内部構造の断面図である。
【図８】最大水量のシャワーモードにおける本考案スプレーガンの内部構造の断面図である。
【符号の説明】
【００２６】
１０      本体
１０１    出水端
１１      グリップ部
１２      水管継ぎ手
１３      本体蓋
１４      水収容空間
１５      中心棒油溝
２０      スプレーネットセット
２１      スプレーネット
２２      環形連接蓋
２３      止水材
３０      プッシュバー
３１      回転支点
４０      中心棒
４１      末端
４２      軸套
４３      シート
４４      ばね
４５      水通道
４６      制御段
４７      水型制御塊
４７１      案内斜面
４８      水流通孔
４９      止水材
５０      中心棒座
５１      斜面端縁
５２      第一止水材
５３      第二止水材
５４      第三止水材
５５      出水孔
５７      隙間
５８      拡径階層
５９      外拡斜面
【図１】
0003147988.tif 000003
【図２】
0003147988.tif 000004
【図３】
0003147988.tif 000005
【図４】
0003147988.tif 000006
【図５】
0003147988.tif 000007
【図６】
0003147988.tif 000008
【図７】
0003147988.tif 000009
【図８】
0003147988.tif 000010